(57)【要約】【課題】各種の受変電機器を共通のベース上に効果的に配置してスペースを有効活用し、かつ取扱性及び点検性に優れた受変電設備を提供すること。【解決手段】共通ベース２１上にガス絶縁設備１１、取引用変成器１２、変圧器１３、変圧器二次用スイッチギア１４、監視操作盤１６を合理的に配置してスペースを有効活用すると共に、各機器の取扱性や点検性を損なうことがない【選択図】  図１
2004274869.tif 000002
【特許請求の範囲】
【請求項１】
受電機器を絶縁用ガス体と共に容器内に封入したガス絶縁設備と、このガス絶縁設備から導出される電路を一次側とする取引用変成器と、この取引用変成器を経た電路を一次側に接続した変圧器と、この変圧器の二次側に接続される変圧器二次用のスイッチギアと、上記各機器を含む設備の監視操作盤と、これらを搭載する長方形状の共通ベースとを備え、
前記ガス絶縁設備は、前記共通ベースの長辺方向一端部上に、点検を要す部分が共通ベースの一方の長辺に面して設置され、
前記変圧器は、放熱器を一側面に集約して構成され、前記共通ベースの長辺方向他端部上に、前記放熱器が共通ベースの短辺に面して設置され、
前記取引用変成器は、前記ガス絶縁設備と変圧器との間の、前記共通ベース上の他方の長辺側に設置され、その一次側端子は前記ガス絶縁設備の点検を要しない部分から導出された導体及び前記変圧器の一次側端子に接続される導体とそれぞれ接続され、
前記スイッチギア及び監視操作盤は、前記ガス絶縁設備と変圧器との間の前記共通ベース上に、それらの操作面が、前記一方の長辺に面した状態で列盤設置され、かつ前記スイッチギアの主回路は前記変圧器の二次側端子に接続している
ことを特徴とする受変電設備。
【請求項２】
共通ベースは、輸送トレーラに積載可能な大きさであることを特徴とする請求項１に記載の受変電設備。
【発明の詳細な説明】
【０００１】
【発明の属する技術分野】
本発明は、各種機器が共通ベース上に搭載され、一体的に輸送可能なユニット形の受変電設備に関する。
【０００２】
【従来の技術】
一般に、大規模工場やプラントなどの電源設備として、図４の単線結線図で示すような受変電設備が用いられている。この受変電設備は、特別高圧設備１１により電力会社から２回線受電し、電力会社供給の取引用変成器１２を経た後、変圧器１３により所内用の電圧に降圧し、変圧器二次用のスイッチギア（閉鎖配電盤）１４を経た後、複数の配電用スイッチギア１５を介して図示しない各種の所内負荷へ電力を供給している。
【０００３】
このような受変電設備を所内用変電所として組立てた場合の概念図を図５に示す。特別高圧設備は、しゃ断器や断路器などの開閉器を含む各種受電機器を、絶縁ガスと共に容器内に封入した構成であり、以下、ガス絶縁設備と呼ぶ。取引用変成器１２は、ガス絶縁設備１１に隣接して設置され、図示しないが、その一次側端子はガス絶縁設備の電路と、図４で示した回路構成で接続している。
【０００４】
変圧器１３は、取引用変成器１２とは離間して設けられており、その両側（図示上下）に放熱器１３ａを有する例えば油入絶縁式のものである。この変圧器１３の一次側端子はダクト１６内に設けられた導体により取引用変成器１２の図示しない一次側端子と接続している。また、変圧器１３の図示しない二次側端子は、ケーブルダクト或いはバスダクト１７内の図示しないケーブル或いはバスバーにより、離間して設置された変圧器二次用のスイッチギア１４と接続している。
【０００５】
さらに、この変圧器二次用スイッチギア１４を経た電路は、列盤設置された配電用スイッチギア１５の母線となって、各負荷用に分岐される。また、これら主回路とは別に、各種計器や操作スイッチ及び操作回路や各種継電器等を収容する監視操作盤１６が設けられている。
【０００６】
上記構成において、変電所を構成するガス絶縁設備１１、取引用変成器１２、変圧器１３、スイッチギア１４，１５は、それぞれ個別に製作され、それぞれ現地へ個別に輸送され、現地で据え付けられる。現地では各機器の据付が完了した後、電力ケーブルや制御ケーブル等によって各機器間の配線が行われる。配線作業完了後、現地にて総合試験が行われる。
【０００７】
このような従来技術では次のような問題点があった。
【０００８】
（１）各機器は、製作工場から個別に輸送されるためコストや時間がかかった。
（２）現地据え付け作業はそれぞれ個別に行われるので、コストや時間がかかった。
【０００９】
（３）機器間の配線箇所が多いため、機器が搬入されてから据え付け作業が完了するまで多くの時間が必要であった。
【００１０】
（４）各機器への配線接続後に確認調整試験を実施しなければならないため、現地試験が完了するまでに多くの工数と時間が必要であった。
【００１１】
このように、それぞれの機器が個別で構成されているため、現地での作業に多くの工数や時間が必要となる。
【００１２】
このような問題点を改善するため、各機器を共通のベース上に搭載し、トレーラにより一括輸送することが提案されている（例えば、特許文献１参照）。
【００１３】
【特許文献１】
特開２０００−１８４５２７号公報
【００１４】
【発明が解決しようとする課題】
しかしながら、上記公報に示されたものは、冷却器が変圧器本体の上方に設置されていることから、その取扱性や点検性が悪く、また、各機器をベース上の前後方向に単に並設しているだけなので、スペースを充分有効活用していない等、改善すべき問題が多かった。
【００１５】
本発明の目的は、各種の受変電機器を共通のベース上に効果的に配置してスペースを有効活用し、かつ取扱性及び点検性に優れた受変電設備を提供することにある。
【００１６】
【課題を解決するための手段】
本発明による受変電設備は、受電機器を絶縁用ガス体と共に容器内に封入したガス絶縁設備と、このガス絶縁設備から導出される電路を一次側とする取引用変成器と、この取引用変成器を経た電路を一次側に接続した変圧器と、この変圧器の二次側に接続される変圧器二次用スイッチギアと、上記各機器を含む設備の監視操作盤と、これらを搭載する長方形状の共通ベースとを備え、前記ガス絶縁設備は、前記共通ベースの長辺方向一端部上に、点検を要す部分が共通ベースの一方の長辺に面して設置され、前記変圧器は、放熱器を一側面に集約して構成され、前記共通ベースの長辺方向他端部上に、前記放熱器が共通ベースの短辺に面して設置され、前記取引用変成器は、前記ガス絶縁設備と変圧器との間の前記共通ベース上の他方の長辺側に設置され、その一次側端子は前記ガス絶縁設備の点検を要しない部分から導出された導体及び前記変圧器の一次側端子に接続される導体とそれぞれ接続され、前記スイッチギア及び監視操作盤は、前記ガス絶縁機器と変圧器との間の前記共通ベース上に、それらの操作面が、前記一方の長辺に面した状態で列盤設置され、かつ前記スイッチギアの主回路は前記変圧器の二次側端子に接続していることを特徴とする。
【００１７】
この場合、共通ベースは、輸送トレーラに積載可能な大きさにするとよい。
【００１８】
これらの発明では、共通のベース上にガス絶縁設備、取引用変成器、変圧器、変圧器二次用スイッチギア、監視操作盤を合理的に配置してスペースを有効活用すると共に、各機器の取扱性や点検性を損なうことがない。
【００１９】
【発明の実施の形態】
以下、本発明による受変電設備の一実施の形態を、図面を参照して説明する。なお、受変電設備としての単線結線図は、図４の構成と共通とする。
【００２０】
図において、ガス絶縁設備１１は、特別高圧（例えば、６６／７７ｋｖ）の電力を電力会社から２回線受電するための受電機器を有する。すなわち、しゃ断器ＣＢや断路器ＤＳ等の開閉機器や、変流器ＣＴ、電圧検出器ＶＤ、避雷器ＳＡＲ、アーススイッチＥＳ等を有し、これらをＳＦ６等の絶縁用ガス体と共に直方体状の容器内に封入して構成する。また、取引用変成器１２は、電力会社から供給されるもので、ガス絶縁設備１１から導出される電路を一次側とする。変圧器１３は、特別高圧の受電電圧を所内用の電圧に降圧するもので、取引用変成器１２を経た電路を一次側に接続している。
【００２１】
変圧器二次用スイッチギア１４は、変圧器１３の二次端子に接続される変圧器二次しゃ断器ＶＣＢを含む電気機器、例えば、接地形電圧検出トランスＥＶＴ，避雷器ＳＡＲ、変流器ＣＴなどを、接地金属箱内に収容している。
【００２２】
この他、複数の配電用スイッチギア１５が設けられるが、これらについては説明を省略する。
【００２３】
この実施の形態では、受電用のガス絶縁設備１１から変圧器二次用スイッチギア１４までの機器と、これらの監視操作盤１６とを１つのユニットとして、共通ベース２１上に搭載するものとする。この共通ベース２１は、長方形状をなし、図３で示すように、トレーラ２２の荷台２３上に積載可能な大きさ（例えば、長辺６ｍ×短辺３．２ｍ）とする。
【００２４】
ガス絶縁設備１１は、図１及び図２に示すように、共通ベース２１の長辺方向一端部（図示左側部分）上に設置される。この場合、ガス絶縁設備１１の点検を要す部分１１ａが、共通ベース２１の一方の長辺２１ａに面するように設置する。
【００２５】
変圧器１３は、放熱器１３ａを一側面（図示右側面）のみに集約した構成とする。この変圧器１３は、共通ベース２１の長辺方向他端部（図示右側部分）上に設置する。この場合、一側面に集約された放熱器１３ａが、共通ベース２１の短辺２１ｃに面し、外方に向うように配置する。
【００２６】
取引用変成器１２は、共通ベース２１上の、ガス絶縁設備１１と変圧器１３との間に設置する。この場合、取引用変成器１２は、図１で示すように、共通ベース２１上の他方の長辺２１ｂ側に設置する。また、この取引用変成器１２の上方には、ガス絶縁設備１１の点検を要しない部分（点検面１１ａに対する後部）の側面から、変圧器１３の対向面まで掛け渡されたバスダクト２５が設けられている。そして、取引用変成器１２の図示しない一次側端子は、バスダクト２５内の、ガス絶縁設備１１から導出された導体及び、変圧器１３の一次側端子１３１に接続される導体とそれぞれ接続される。
【００２７】
変圧器二次用スイッチギア１４及び監視操作盤１６は、共通ベース２１上の、ガス絶縁設備１１と変圧器１３との間に設置する。この場合、それらの監視・操作面１４ａ，１６ａが、共通ベース２１の一方の長辺２１ａに面した状態で列盤設置する。また、スイッチギア１４ａの主回路は変圧器１３の二次側端子１３２に直結接続する。
【００２８】
このように、共通ベース２１上に、ガス絶縁設備１１、取引用変成器１２、変圧器１３、変圧器二次用スイッチギア１４、監視操作盤１６を搭載してユニット構成とし、このユニットを図３で示すようにトレーラに積載して現地に輸送する。このようにすると、上述した各受変電機器を一体に輸送し、搬入し、据え付けることができ、厳しい環境下での現地組み立てが不要になるなど、コスト及び工数を大幅に低減できる。また、現地に輸送する前に、製作工場や試験センターにて組合わせ試験を行うことができるので、この面でも工数削減及び工期短縮が可能になる。
【００２９】
また、共通ベース２１上に、ガス絶縁設備１１、取引用変成器１２、変圧器１３、変圧器二次用スイッチギア１４、監視操作盤１６を、変圧器を底辺としてＵターン状に配置したので、スペース効率が向上し、コンパクトに構成できる。
【００３０】
また、変圧器１３の放熱器１３ａを一面に集約して構成し、かつこの放熱器１３ａを、共通ベース２１の短辺２１ｃに面するように外方に向って配置したので、放熱器１３自体の取扱性及び点検性が優れ、しかも他の機器との取り合いに対しても、なんら悪影響を与えずに容易に作業することができる。
【００３１】
さらに、ガス絶縁設備１１、スイッチギア１４、監視操作盤１６の各点検及び操作面１１ａ、１４ａ，１６ａを、共通ベース２１の長辺２１ａに面して配置したので、これら機器を相互に監視しながら点検及び操作を行うことができる。
【００３２】
【発明の効果】
本発明によれば、各種の受変電機器を共通のベース上に効果的に配置してスペースを有効活用したのでコンパクトに構成でき、しかも、取扱性及び点検性にも優れた構成となる。
【図面の簡単な説明】
【図１】本発明による受変電設備の一実施の形態を示す平面図である。
【図２】同上一実施の形態を示す正面図である。
【図３】同上一実施の形態による輸送状態を説明する図である。
【図４】一般的な受変電設備の単線結線図である。
【図５】従来技術を説明する平面図である。
【符号の説明】
１１    ガス絶縁設備
１１ａ    点検部
１２    取引用変成器
１３    変圧器
１３ａ    放熱器
１４    変圧器二次用スイッチギア
１４ａ    操作面
１６    監視操作盤
１６ａ    操作面
２１    共通ベース
２１ａ    一方の長辺
２１ｂ    他方の長辺
２１ｃ    短辺
２２    トレーラ
２３    荷台
【図１】
2004274869.tif 000003
【図２】
2004274869.tif 000004
【図３】
2004274869.tif 000005
【図４】
2004274869.tif 000006
【図５】
2004274869.tif 000007